(57)【要約】【課題】装着しても快適で且つ食事も取り易い首ホールドカラーを提供すること。【解決手段】四足動物の首に巻き付ける帯状首ホールドカラー本体１０と、帯状首ホールドカラー本体１０を四足動物の首に脱着自在に装着する脱着自在装着手段２０と、を有し、帯状首ホールドカラー本体１０が弾性材で作製されていることを特徴とする。【選択図】図４
2015216898.tif 000002
【特許請求の範囲】
【請求項１】
四足動物の首に巻き付ける帯状首ホールドカラー本体と、
前記首ホールドカラー本体を四足動物の首に脱着自在に装着する脱着自在装着手段と、を有し、
前記首ホールドカラー本体が弾性材で作製されていることを特徴とする首ホールドカラー。
【請求項２】
前記帯状首ホールドカラー本体は、通気性のシートで被覆されている請求項１に記載の首ホールドカラー。
【請求項３】
前記弾性材は発泡体である請求項１又は２に記載の首ホールドカラー。
【請求項４】
前記発泡体はチップウレタンである請求項１〜３のいずれか１項に記載の首ホールドカラー。
【請求項５】
前記帯状首ホールドカラー本体は、四足動物の後頭部に係止する後頭部凸部と首後付け根に係止する首後付け根凹部とを持つ首後カラー部及び四足動物の顎に係止する顎凸部と首前付け根に係止する首前付け根凸部とを持つ首前カラー部を備える請求項１〜４のいずれか１項に記載の首ホールドカラー。
【請求項６】
前記首後カラー部と前記首前カラー部は、長さ調節手段で長さ調節可能に接続される請求項５に記載の首ホールドカラー。
【請求項７】
前記首前カラー部の前記顎凸部から前記首前付け根凸部にかけて心材を備える請求項５又は６に記載の首ホールドカラー。
【発明の詳細な説明】
【技術分野】
【０００１】
本発明は、四足歩行を行う動物（犬、猫、馬、牛等）の治療用保護装置に関し、特に動物の口が動物の口以外の部位に近づくのを制限するために、動物の首回りに装着される首ホールドカラーに関する。
【背景技術】
【０００２】
体に傷や感染部位を持っている動物が、傷や感染部位を舐めたりかじったりすると、傷が悪化したり、他の部位に感染したりする。そこで、傷や感染部位を舐めたりかじったりすることを制限するカラーとして、所謂エリザベスカラーが知られている。このエリザベスカラーは広げた傘を逆さにして首に装着するのに似ている。動物が口以外の部位（前足、後足、腹、背中等）に近づかないようにするため、傘の径が大きく設定される。そのため、動物は従来のエリザベスカラーを装着するのを嫌がるし、装着したとしても自力で餌を食べる事が難しい。また、エリザベスカラーを装着した動物が動き回ると、周囲の物品を傷つけることがある。
【０００３】
そこで、可撓性の材料やタオル地等でエリザベスカラーを作製することが試みられている（例えば、特許文献１、２参照。）。
【先行技術文献】
【特許文献】
【０００４】
【特許文献１】特開平５−２９３１２７号公報
【特許文献２】特開２００３−９７０３号公報
【発明の概要】
【発明が解決しようとする課題】
【０００５】
上記従来のエリザベスカラーは、可撓性の材料やタオル地等で作られており、周囲の物品を傷つけることは緩和されるが、装着したがらない（装着すると不快である）とか餌を食べることが難しいといった問題は解消されない。
【０００６】
本発明は、上記の問題に鑑みてなされたもので、装着しても快適で且つ餌も食べやすい首ホールドカラーを提供することを課題とする。
【課題を解決するための手段】
【０００７】
上記の課題を解決するためになされた本発明の四足動物用首ホールドカラーは、四足動物の首に巻き付ける帯状首ホールドカラー本体と、前記帯状首ホールドカラー本体を四足動物の首に脱着自在に装着する脱着自在装着手段と、を有し、前記帯状首ホールドカラー本体が弾性材で作製されていることを特徴とする。
【０００８】
動物が口以外の部位に近づくことを抑制することができる。また、弾性材で作製された帯状首ホールドカラー本体を首に巻き付けるだけであり、装着の不快感が低減され且つ餌を食べることも比較的容易である。
【０００９】
上記の四足動物用首ホールドカラーにおいて、前記帯状首ホールドカラー本体は、通気性のシートで被覆されているとよい。帯状首ホールドカラー本体が直接動物の首に接触しないので、装着の不快感が軽減され、首回りの蒸れが軽減される。
【００１０】
また、前記弾性材は発泡体であるとよい。発泡体は通気性があり、首回りが蒸れることが更に軽減される。
【００１１】
また、前記発泡体はチップウレタンであるとよい。チップウレタンは繰り返し圧縮永久歪が少ないので、首の動きを規制する機能が長期に維持される。
【００１２】
また、前記帯状首ホールドカラー本体は、四足動物の後頭部に係止する後頭部凸部と首後付け根に係止する首後付け根凹部とを持つ首後カラー部及び四足動物の顎に係止する顎凸部と首前付け根に係止する首前付け根凸部とを持つ首前カラー部を備えるとよい。これにより、首ホールド機能が高まり、頭部の動きすなわち口の動きが一層抑制され、口以外の部位を舐めたりすることがし難くなる。
【００１３】
また、前記首後カラー部と前記首前カラー部は、長さ調節手段で長さ調節可能に接続されるとよい。これにより、首回りの異なる動物に装着することが可能になる。
【００１４】
また、前記首前カラー部の前記顎凸部から前記首前付け根凸部にかけて心材を備えるとよい。これにより、首を下に曲げることが一層抑制される。
【発明の効果】
【００１５】
動物が口以外の部位に近づくことを抑制することができる。また、弾性材で作製された帯状首ホールドカラー本体を首に巻き付けるだけであり、装着の不快感が低減され且つ餌を食べることも比較的容易である。
【図面の簡単な説明】
【００１６】
【図１】本発明の実施形態１に係る四足動物用首ホールドカラーを表面（外面）から見た図である。
【図２】本発明の実施形態に係る四足動物用首ホールドカラーを裏面（内面）から見た図である。
【図３】図１のＡ−Ａ線断面図である。
【図４】図２のＢ−Ｂ線断面図である。
【図５】本発明の実施形態１に係る四足動物用首ホールドカラーを犬に装着した状態を示す側方視図である。
【図６】本発明の実施形態２に係る四足動物用首ホールドカラーを表面（外面）から見た図である。
【図７】本発明の実施形態２に係る四足動物用首ホールドカラーを裏面（内面）から見た図である。
【発明を実施するための形態】
【００１７】
（実施形態１）
本発明の実施形態１に係る四足動物用首ホールドカラーは、図１〜５に示すように、四足動物の首に巻き付ける帯状首ホールドカラー本体１０と、首ホールドカラー本体１０を四足動物の首に脱着自在に装着する脱着自在装着手段２０と、を有している。
【００１８】
帯状首ホールドカラー本体１０は、四足動物の後頭部に係止する後頭部凸部１１ａと首後付け根に係止する首後付け根凹部１１ｂとを持つ首後カラー部１１及び四足動物の顎に係止する顎凸部１２ａと首前付け根に係止する首前付け根凸部１２ｂとを持つ首前カラー部１２を備えている。首前カラー部１２の顎凸部１２ａから首前付け根凸部１２ｂにかけて心材１２ｃが取り付けられている。
【００１９】
首後カラー部１１と首前カラー部１２の端部には脱着自在装着手段２０を構成する面ファスナー２０ａ、２０ｂが取り付けられてある。面ファスナー２０ａにはフックが形成され、面ファスナー２０ｂにはループが形成されている。
【００２０】
帯状首ホールドカラー本体１０は、弾性材で作製されている。弾性材は、伸縮性に優れ、首の動きを制限すると共に装着しても異物感が少なく、首に装着しても動物が傷つくことがない。
【００２１】
また、帯状首ホールドカラー本体１０は、発泡体であると更によい。発泡体は通気性があり、首回りが蒸れることが一層緩和される。
【００２２】
また、帯状首ホールドカラー本体１０は、チップウレタン製であるとさらによい。チップウレタンは、ウレタン（スポンジ）の端材を粉砕し（再生）、接着剤をブレンドして型に入れ蒸気で押し固めて圧縮成型したものであり、ヘタリ（圧縮永久歪）が少なく、硬度のあるウレタンスポンジである。したがって、チップウレタン製の首ホールドカラーは首の動きを規制する機能が長期に維持される。
【００２３】
帯状首ホールドカラー本体１０は、図３に示すように通気性のシート１５で被覆されているとよい。帯状首ホールドカラー本体１０が直接動物の首に接触しないので、装着の不快感が更に軽減され、首回りの蒸れが更に軽減される。シート１５は、織物、編物或いは布である。編物はレース編みでもよい。また、布は不織布でもよい。
【００２４】
本実施形態の心材１２ｃは、図４に示すように、例えば、細長い硬質プラスチック板１２ｃ１に細長いゴムラバー１２ｃ２を貼り付けたものである。首前カラー部１２は心材１２ｃによって撓むことが抑制され、首を下に曲げることが一層抑制される。また、動物の首にはゴムラバー１２ｃ２が当接するので、首と首ホールドカラーの相対的な滑りが抑制される。
【００２５】
次に、本実施形態の四足動物用首ホールドカラーを犬の首に装着する手順を説明する。先ず、首後カラー部１１の後頭部凸部１１ａを犬の後頭部に、首後付け根凹部１１ｂを犬の首後付け根に位置決めして、その後、首前カラー部１２の顎凸部１２ａが犬の顎下に、首前付け根凸部１２ｂが犬の首前付け根に位置するように首に巻き付ける。その後、面ファスナー２０ａと面ファスナー２０ｂと連結することで、装着が終了し図５に示すようになる。
【００２６】
装着した犬が首を例えば下に曲げようとしても、下顎と首前付け根の間で首前カラー部１２が突っ張っており曲げることが難しい。特に、本実施形態の首ホールドカラーでは、首前カラー部１２の顎凸部１２ａから首前付け根凸部１２ｂにかけて心材１２ｃが取り付けられているので、首を下に曲げることができない。
【００２７】
また、装着した犬が首を上に曲げようとしても、後頭部と首後付け根の間で首後カラー部１１が突っ張っており曲げることが難しい。
【００２８】
（実施形態２）
本実施形態の四足動物用首ホールドカラーでは、図６、７に示すように、実施形態１の帯状首ホールドカラー本体１０が首後カラー部１１と首前カラー部１２に分割され、分割された首後カラー部１１と首前カラー部１２が長さ調節手段１３で連結されている。
【００２９】
長さ調節手段１３は、複数のスナップボタン１３ａ、１３ｂを備えている。１３ａが雄型スナップボタンであり、１３ｂが雌型スナップボタンである。
【００３０】
本実施形態の四足動物用首ホールドカラーは長さ調節手段１３を備えているので、首回りの異なる動物に緩みなく装着することが可能になる。
【００３１】
犬種によって、四足動物用首ホールドカラーのサイズや形状が異なるが、犬種毎に設計製作すればよい。犬種が同じでもサイズが異なるが、Ｓサイズ、Ｍサイズ、Ｌサイズを用意すればよい。
【符号の説明】
【００３２】
１０・・・・・・帯状カラー本体
１１・・・・・首後カラー部
１１ａ・・後頭部凸部
１１ｂ・・首後付け根凹部
１２・・・・・首前カラー部
１２ａ・・顎凸部
１２ｂ・・首前付け根凸部
１２ｃ・・心材
１３・・・・・長さ調節手段
１５・・・・・・シート
２０・・・・・・脱着自在装着手段
【図１】
2015216898.tif 000003
【図２】
2015216898.tif 000004
【図３】
2015216898.tif 000005
【図４】
2015216898.tif 000006
【図５】
2015216898.tif 000007
【図６】
2015216898.tif 000008
【図７】
2015216898.tif 000009